(57)【特許請求の範囲】
【請求項１】
先の映像データの平文ブロックを暗号化した結果を、次の平文ブロックにビット演算によって重ね合わせ、その結果に対して暗号化する方式を用いて暗号化した映像データを保存する携帯端末であって、
映像が不良な補修対象映像データを、外部から入手した映像データの一部と置き換えて補修する映像データ補修手段を備え、
前記映像データ補修手段は、
映像データから補修対象映像データを抽出する補修対象映像データ抽出手段と、
抽出した補修対象映像データを補修用映像データに置き換えて映像データを補修する際、前記補修対象映像データの最後の一部の映像データを消去せずに保存する補修手段と、
前記補修用映像データのみに対して再暗号化処理を行う再暗号化手段と、
を備える携帯端末。
【請求項２】
前記補修対象映像データの最後の一部の映像データは、前記補修対象映像データの後に続く映像データを復号するために必要なブロック分である請求項１記載の携帯端末。
【請求項３】
映像データに対して補修が必要と判定した時間帯の部分を補修対象映像データとし、前記補修対象映像データの前後の映像データを設定された単位毎に復号してスキャンし、前記映像データを置き換えて補修しても映像が乱れないと判定した部分を前記補修対象映像データの開始点及び終了点として再設定する補修対象データスキャン手段を備える請求項１記載の携帯端末。
【請求項４】
映像データが映像の符号化データである場合、補修するために外部から入手した映像データの一部を部分映像データとし、前記部分映像データを一旦デコードし、前記補修対象映像データと同じ時間帯の映像データを抽出し、前記補修対象映像データで使用されている映像フォーマットでエンコードした映像データを補修用映像データとして映像補修処理に使用する補修用データ再構成手段を備える請求項１記載の携帯端末。
【請求項５】
映像が不良な補修対象映像データを、外部から入手した映像データの一部と置き換えて補修する映像データ補修方法であって、
映像データから補修対象映像データを抽出するステップと、
映像が不良な補修対象映像データを、外部から入手した映像データの一部と置き換えて補修するステップと、
抽出した補修対象映像データを補修用映像データに置き換えて映像データを補修する際、前記補修対象映像データの最後の一部の映像データを消去せずに保存するステップと、
前記補修用映像データのみに対して再暗号化処理を行うステップと
を順次実行する映像データ補修方法。
【請求項６】
映像データに対して補修が必要と判定した時間帯の部分を補修対象映像データとし、前記補修対象映像データの前後の映像データを設定された単位毎に復号してスキャンするステップと、
前記映像データを置き換えて補修しても映像が乱れないと判定した部分を前記補修対象映像データの開始点及び終了点として再設定するステップと
を有する請求項５記載の映像データ補修方法。
【請求項７】
補修するために外部から入手した映像データの一部を部分映像データとし、前記部分映像データを一旦デコードするステップと、
前記補修対象映像データと同じ時間帯の映像データを抽出するステップと、
前記補修対象映像データで使用されている映像フォーマットでエンコードした映像デー
タを補修用映像データとして映像補修処理に使用するステップと
を有する請求項５記載の映像データ補修方法。
【請求項８】
映像が不良な補修対象映像データを、外部から入手した映像データの一部と置き換えて補修する映像データ補修方法であって、映像データから補修対象映像データを抽出するステップと、映像が不良な補修対象映像データを、外部から入手した映像データの一部と置き換えて補修するステップと、抽出した補修対象映像データを補修用映像データに置き換えて映像データを補修する際、前記補修対象映像データの最後の一部の映像データを消去せずに保存するステップと、前記補修用映像データのみに対して再暗号化処理を行うステップとをコンピュータに実行させるためのプログラム。
【発明の詳細な説明】
【技術分野】
【０００１】
本発明は、映像データを受信する携帯端末、映像データ補修方法及びプログラムに関し、詳細には、録画等で保存した映像データの一部に映像が乱れた部分がある場合に映像データを補修する携帯端末、映像データ補修方法及びプログラムに関する。
【背景技術】
【０００２】
ＴＶチューナ付き携帯端末が普及しつつある。ＴＶチューナ付き携帯端末で視聴したい番組を予約録画したいというニーズもある。しかし、電波状態の悪化等により録画中に途中の映像は乱れたままになる場合がある。予約録画した際に自宅のレコーダにも同時に予約録画をネット経由で要求し、録画を失敗した映像部分を後でレコーダ側から送信してもらい、補修した映像データを視聴できるというサービスが想定される。
【０００３】
特許文献１には、放送終了後に録画できなかった部分を含む全録画データを取得する携帯端末が記載されている。
【０００４】
図１は、特許文献１に記載の著作権保護された映像データ補修処理システムの構成例を示す図である。
【０００５】
図１に示すように、録画データ補修システム１０は、地上波デジタルテレビ放送を受信可能な携帯端末１１と、携帯電話サービスを提供する通信事業者（キャリア）１２内に設置された録画サーバ１２ａと、テレビ番組をデジタル放送によって送信する放送局１３内に設置された放送局サーバ１３ａとを備えて構成される。放送局１３の放送局サーバ１３ａは、通信回線１４を介して番組データを録画サーバ１２ａに送信しておき、録画サーバ１２ａは送信された番組データを受信して保存する。
【０００６】
上記システムの映像データの補修方法は、以下の通りである。
【０００７】
図１に示すように、携帯端末１１によって所望の番組を録画するとき、受信状態が悪いため番組の一部を録画できない場合がある。このとき、携帯端末１１は、録画できなかった番組部分を特定し、特定された番組部分の送信を録画サーバ１２ａに要求する。ちなみに放送局の放送局サーバ１３ａは、遅くとも番組の終了時刻までに通信回線１４を介して番組データを録画サーバ１２ａに送信しておき、録画サーバ１２ａは送信された番組データを受信して保存しておく。そして、携帯端末１１は、録画サーバ１２ａから送信された番組データを受信し、受信された番組データによって、携帯端末１１に保存されている録画データを補修する。
【０００８】
図２Ａ−Ｃは、特許文献１に記載の携帯端末の映像データ補修処理の説明図である。
【０００９】
図２Ａは、携帯端末１１のメモリに保存されている番組の録画データを示す。同図中、ハッチングが施された領域には録画データが記録されており、空白領域１〜２には録画データが記録されていないことを示している。この場合、２個の空白領域１〜２があるので、番組の録画中に、録画が２回中断されていると判断する。
【００１０】
図２Ｂに示す状態では、録画サーバ１２ａのハードディスクには番組データが完全な形で格納されている。このため、携帯端末１１は、録画中断情報によって録画できなかった番組データの一部を特定し、特定された番組データの一部の送信を録画サーバ１２ａに要求する。録画サーバ１２ａは、ハードディスクに格納されている番組データの中から、要
求されている番組データを抽出し、抽出された番組データを携帯端末１１に送信する。携帯端末１１は、送信された番組データを受信すると、受信された番組データによって録画データの空白領域１〜２をそれぞれ埋め込んで録画データを補修する。
【００１１】
図２Ｃは、録画データの空白領域１〜２に録画サーバから送信された番組データがそれぞれ埋め込まれて、録画データが完全な形に補修されたことを示す。このため、ユーザは、補修された録画データを再生して番組を視聴することができる。
【先行技術文献】
【特許文献】
【００１２】
【特許文献１】特開２００６−３５２２６４号公報
【発明の概要】
【発明が解決しようとする課題】
【００１３】
しかしながら、このような従来の映像データの補修方法にあっては、著作権保護されたデジタルデータに関する観点がないので、従来方式であると、著作権保護のための暗号化に余分な電力を消費し、携帯端末搭載には適さないという課題がある。以下、具体的に説明する。
【００１４】
図３Ａ−Ｃは、従来の著作権保護された映像データ補修処理の説明図である。
【００１５】
図３Ａは、携帯端末に保存されている著作権保護された映像データを示している。この映像データは、ＣＢＣ（Cipher Block Chaining）モードで暗号化が行われる。ＣＢＣモードは、暗号化の解読や改竄などの不正行為に対応するために考案された、暗号文ブロック連鎖方式と呼ばれるもので、前の平文ブロックを暗号化した結果を次の平文にＸＯＲ演算によって重ね合わせ、その結果に対して暗号化処理を行う。最初のブロックを暗号化する場合は、前の暗号文の最後のブロックを利用するか、又は外部から与えたデータ（初期ベクトル）を利用する。ＣＢＣモードによる暗号化が映像データの最初から最後まで一括で行われる。また、ある暗号文ブロックを復号するには、その前の暗号文ブロックが必要になる。
【００１６】
この著作権保護された映像データから、映像が乱れていると判定されたデータもしくは、空白部分である補修対象映像データ２１を抽出する。
【００１７】
図３Ｂは、補修対象映像データ２１を外部から入手した映像データ２２に置き換えて、映像データを補修する処理を示している。特許文献１に記載の携帯端末では、補修の際、補修対象映像データ２１だけではなく、その後の映像データも一旦復号する必要がある。
【００１８】
図３Ｃは、再暗号化された補修処理後の映像データを示している。補修対象映像データだけではなく、その後の映像データも再暗号化を行うので、その分の電力を消費する。
【００１９】
本発明の目的は、補修処理における処理量及び消費電力を削減し、かつ、確実に映像データを補修できる携帯端末、映像データ補修方法及びプログラムを提供することである。
【課題を解決するための手段】
【００２０】
本発明の携帯端末は、先の映像データの平文ブロックを暗号化した結果を、次の平文ブロックにビット演算によって重ね合わせ、その結果に対して暗号化する方式を用いて暗号化した映像データを保存する携帯端末であって、映像が不良な補修対象映像データを、外部から入手した映像データの一部と置き換えて補修する映像データ補修手段を備え、前記映像データ補修手段は、映像データから補修対象映像データを抽出する補修対象映像デー
タ抽出手段と、抽出した補修対象映像データを補修用映像データに置き換えて映像データを補修する際、前記補修対象映像データの最後の一部の映像データを消去せずに保存する補修手段と、前記補修用映像データのみに対して再暗号化処理を行う再暗号化手段と、を備える構成を採る。
【００２１】
本発明の映像データ補修方法は、映像が不良な補修対象映像データを、外部から入手した映像データの一部と置き換えて補修する映像データ補修方法であって、映像データから補修対象映像データを抽出するステップと、映像が不良な補修対象映像データを、外部から入手した映像データの一部と置き換えて補修するステップと、抽出した補修対象映像データを補修用映像データに置き換えて映像データを補修する際、前記補修対象映像データの最後の一部の映像データを消去せずに保存するステップと、前記補修用映像データのみに対して再暗号化処理を行うステップとを順次実行する。
【００２２】
また、他の観点から、本発明は、映像が不良な補修対象映像データを、外部から入手した映像データの一部と置き換えて補修する映像データ補修方法であって、映像データから補修対象映像データを抽出するステップと、映像が不良な補修対象映像データを、外部から入手した映像データの一部と置き換えて補修するステップと、抽出した補修対象映像データを補修用映像データに置き換えて映像データを補修する際、前記補修対象映像データの最後の一部の映像データを消去せずに保存するステップと、前記補修用映像データのみに対して再暗号化処理を行うステップとをコンピュータに実行させるためのプログラムである。
【発明の効果】
【００２３】
本発明によれば、補修対象映像データの後に続く映像データを復号するために必要なブロック分は補修時に消去せずに保存し、補修した映像データの部分だけを再暗号化することにより、補修した部分だけを暗号化することができ、著作権保護された映像データの補修を省電力で処理することができる。
【図面の簡単な説明】
【００２４】
【図１】従来の著作権保護された映像データ補修処理システムの構成例
【図２Ａ】従来の携帯端末の映像データ補修処理の説明図
【図２Ｂ】従来の携帯端末の映像データ補修処理の説明図
【図２Ｃ】従来の携帯端末の映像データ補修処理の説明図
【図３Ａ】従来の著作権保護された映像データ補修処理の説明図
【図３Ｂ】従来の著作権保護された映像データ補修処理の説明図
【図３Ｃ】従来の著作権保護された映像データ補修処理の説明図
【図４】本発明の実施の形態１に係る映像データ補修システムの構成を示すブロック図
【図５】上記実施の形態１に係る携帯端末の録画失敗情報の構成例を示す図
【図６】上記実施の形態１に係る携帯端末の部分映像データ要求情報の構成例を示す図
【図７】本発明の携帯端末の録画失敗時の映像データ補修方法を説明する図
【図８】本発明の携帯端末の失敗映像データのスキャン方式を説明する図
【図９】本発明の携帯端末と宅内レコーダの交信と補正データの生成方式を説明する図
【図１０】上記実施の形態１に係る携帯端末における宅内レコーダを利用した録画番組の映像データ補修処理を示すフロー図
【図１１】上記実施の形態１に係る携帯端末の映像データ補修処理の詳細なフロー図
【図１２】上記実施の形態１に係る携帯端末の映像データ補修処理を示すフロー図
【図１３】上記実施の形態１に係る携帯端末の映像データ補修処理の説明図
【図１４】本発明の実施の形態２に係る携帯端末の構成を示す機能ブロック図
【図１５】上記実施の形態２に係る携帯端末の補修対象データスキャン部の動作を示すフロー図
【図１６Ａ】上記実施の形態２に係る携帯端末の補修対象データスキャン部の動作の説明図
【図１６Ｂ】上記実施の形態２に係る携帯端末の補修対象データスキャン部の動作の説明図
【図１６Ｃ】上記実施の形態２に係る携帯端末の補修対象データスキャン部の動作の説明図
【図１７】本発明の実施の形態３に係る携帯端末の構成を示す機能ブロック図
【図１８】上記実施の形態３に係る携帯端末の補修用データ再構成部の動作を示すフロー図
【発明を実施するための形態】
【００２５】
以下、本発明の実施の形態について図面を参照して詳細に説明する。
【００２６】
（実施の形態１）
図４は、本発明の実施の形態１に係る映像データ補修システムの構成を示すブロック図である。本実施の形態は、モバイル端末と宅内レコーダを利用した録画番組の映像データ補修システムに適用した例である。
【００２７】
図４に示すように、映像データ補修システム１００は、携帯端末１１０と、宅内レコーダ１２０と、携帯端末１１０と宅内レコーダ１２０とを結ぶネットワーク１３０とから構成される。
【００２８】
携帯端末１１０は、携帯電話機／ＰＨＳ（Personal Handy-Phone System）、携帯情報端末（以下、ＰＤＡ（Personal Digital Assistants）という）などの携帯端末、ノート型パソコン、さらには携帯ゲーム機なども含まれる。携帯端末１１０を携帯電話機に適用した場合、携帯電話機としての本来の機能部、例えば基地局とキャリア通信を行うためのアンテナ、無線通信部などは図示を省略している。
【００２９】
携帯端末１１０は、予約録画指示部１１１、端末側録画部１１２、番組予約情報送信部１１３、録画結果判定部１１４、補修用データ要求部１１５、補修用データ受信部１１６、及び映像データ補修部１１７を備えて構成される。
【００３０】
予約録画指示部１１１は、ユーザによって設定された番組チャンネルと録画時間を管理し、番組録画を指示する。
【００３１】
端末側録画部１１２は、指定された番組を録画し、映像データを蓄積する。
【００３２】
番組予約情報送信部１１３は、ユーザによって設定された番組チャンネルと録画時間で構成される番組予約情報を、ネットワーク１３０を介し、宅内レコーダ１２０に送信する。
【００３３】
録画結果判定部１１４は、放送電波の受信不良やユーザ操作を検知することによって、録画した映像データが乱れた、もしくは映像に空白ができたと判定した映像データ部分を補修対象映像データとし、その補修対象映像データを示す情報と時間、番組チャンネルを含む録画失敗情報を管理する。
【００３４】
補修用データ要求部１１５は、録画失敗情報から生成した部分映像データ要求情報を宅内レコーダ１２０に送信する。
【００３５】
補修用データ受信部１１６は、宅内レコーダ１２０から補修処理に使用する映像データ
を受信する。
【００３６】
映像データ補修部１１７は、映像が不良な補修対象映像データを、外部から入手した映像データの一部と置き換えて補修する。映像データ補修部１１７は、補修対象映像データの後に続く映像データを復号するために必要なブロック分は補修時に消去せずに保存し、補修した映像データの部分だけを再暗号化するよう制御する。
【００３７】
より詳細には、映像データ補修部１１７は、補修対象映像データ抽出部１１７ａ、補修部１１７ｂ、及び再暗号化部１１７ｃからなる。
【００３８】
補修対象映像データ抽出部１１７ａは、録画結果判定部１１４から受け取った録画失敗情報に基づいて、映像データから補修対象映像データを抽出する。
【００３９】
補修部１１７ｂは、抽出した補修対象映像データを補修用データ受信部１１６が受信した補修用映像データに置き換えて、映像データを補修する。ここで、補修部１１７ｂは、補修対象映像データのうち、最後の一部の映像データを消去せずに保存する。この最後の一部の映像データは、補修対象映像データの後に続く映像データを復号するために必要な最小限のデータであり、暗号化方式によりデータ長は様々である。例えば、暗号化方式が１６ｂｙｔｅを必要とするものであれば、最後のデータは１６ｂｙｔｅ、１２８ｂｙｔｅを必要とするもので最後のデータは１２８ｂｙｔｅである。このように、補修部１１７ｂは、最後の最後データは補修時に消去せずに保存することを特徴とする。換言すれば、補修部１１７ｂは、本来不要な映像データを、補修対象映像データの後に続く映像データを復号するために入れていることになる。
【００４０】
再暗号化部１１７ｃは、映像データの補修部分である補修用映像データのみに対して再暗号化処理を行う。
【００４１】
宅内レコーダ１２０は、番組予約情報受信部１２１、レコーダ側録画部１２２、映像データ抽出部１２３、及び映像データ送信部１２４を備えて構成される。
【００４２】
番組予約情報受信部１２１は、携帯端末１１０からの番組予約情報を受信する。
【００４３】
レコーダ側録画部１２２は、番組予約情報に格納された番組チャンネル、録画時間に基づいて番組を録画し、映像データを蓄積する。
【００４４】
映像データ抽出部１２３は、部分映像データ要求情報に従って蓄積した映像データから補修用映像データを抽出する。
【００４５】
映像データ送信部１２４は、補修用映像データを携帯端末１１０に送信する。
【００４６】
上記補修用映像データは、宅内レコーダ１２０からの視点では、携帯端末１１０から要求された時間帯、番組チャンネルの映像データである。
【００４７】
ネットワーク１３０は、移動体通信網、公衆電話網、ＬＡＮやインターネットなどから構成するネットワークであり、有線系又は無線系などネットワークの種類とプロトコルの種類は特に問わない。また、キャリアのアクセス回線としてはＦＴＴＨ（Fiber To The Home）、ＨＦＣ（Hybrid Fiber Coax：光同軸ケーブル）、及びＡＤＳＬ（Asymmetric Digital Subscriber Line）／ＶＤＳＬ（Very high data rate Digital Subscriber Line）等の大容量回線が利用可能である。
【００４８】
図５は、録画失敗情報の構成例を示す図である。図４の録画結果判定部１１４は、録画失敗情報１５１を作成する。
【００４９】
図５に示すように、録画失敗情報１５１は、映像データの番組チャンネル１５２、録画方式１５３、時間情報１５４、及びデータ位置情報１５５の各パラメータから構成される。録画失敗情報１５１の構成は、一例であり、映像データ補修処理の必要に応じたパラメータであればどのような構成でもよい。
【００５０】
図６は、部分映像データ要求情報の構成例を示す図である。
【００５１】
図６に示すように、部分映像データ要求情報１６１は、番組チャンネル１６２、及び時間情報１６３のパラメータから構成される。
【００５２】
携帯端末１１０の補修用データ要求部１１５（図４）は、図５の録画失敗情報１５１を基に、要求する補修用映像データの番組チャンネル１６２及び時間情報１６３からなるパラメータである部分映像データ要求情報１６１を生成する。
【００５３】
以下、上述のように構成された携帯端末の動作について説明する。
【００５４】
まず、本発明の基本的な考え方について説明する。
【００５５】
[録画失敗時の映像補正方式（基本）]
図７は、本発明の携帯端末の録画失敗時の映像データ補修方法を説明する図である。
【００５６】
図７Ａは、携帯端末の暗号化済録画データを示す。図７では、暗号化済録画データは、映像データ１−８である。この映像データ１−８のうち、録画を失敗したと判断した映像データは映像データ４，５であるとする。
【００５７】
図７Ｂは、宅内レコーダの暗号化済録画データを示す。宅内レコーダは、安定した受信又は通信にあって映像データ１−８は全て暗号化されて録画されている。
【００５８】
宅内レコーダは、携帯端末に対して、該当部分（ここでは携帯端末が録画を失敗した映像データ４，５）の暗号を一旦解除して携帯端末に転送する。携帯端末は、転送された該当部分（映像データ４，５）を元に録画データを補正する。
【００５９】
携帯端末は、以下のようにして映像データの暗号解除後に、補正を行う。
【００６０】
図７Ｃは、携帯端末の補正、及び暗号化済録画データを示す。また図７Ｄは、本発明と比較するための従来の携帯端末の補正、及び暗号化済録画データを示す。図７Ｄに示すように、映像の暗号解除には、直前のデータ（一般的に１６ｂｙｔｅ）が必要になるので、補正後のデータも再暗号化する必要がある。この従来例では、補正後の映像データ４，５のために映像データ４−８を再暗号化している。従来例ではその分、電力を浪費してしまう。
【００６１】
これに対して、図７Ｃに示すように、本携帯端末は、補正した部分だけを暗号化する。図７Ｃの場合は、補正した映像データ４，５を暗号化し、映像データ６〜８については暗号化しない。しかし、映像の暗号解除には、直前のデータ（１６ｂｙｔｅ）が必要である。このため、本携帯端末は、以前の映像データ５の一部（例：１６ｂｙｔｅ、データ５’と定義）を残す。
【００６２】
本携帯端末は、再生時に映像データ６の先頭データを暗号解除する際、データ５’を使用する。すなわち、本来不要な以前の映像データ５の一部（データ５’）を入れている。データ５’は、暗号解除されると無意味なデータとなり、該携帯端末のデコーダは無視するので、正常再生される。したがって、本携帯端末では、補正していないデータを再暗号化する必要がなくなる。
【００６３】
上記録画失敗時の映像補正方式により、補正した部分だけを暗号化することが可能になった。以下、より詳細に映像データのスキャン方式と補正データの生成方式について説明する。
【００６４】
[失敗映像データのスキャン方式]
図８は、本発明の携帯端末の失敗映像データのスキャン方式を説明する図である。
【００６５】
図８Ａは、携帯端末の録画データを示す。(1)携帯端末は、録画失敗時間情報から録画失敗した時間帯を判定する。図５では、携帯端末は、映像データ４と映像データ５の図示の時間帯で録画を失敗したと判断する。
【００６６】
図８Ｂに示すように、(2)携帯端末は、録画失敗した時間帯のデータの開始点及び終了点から直近の切出し可能点をスキャンする。上記切出し可能点は、例えばスタートヘッダである。
【００６７】
図８Ｃに示すように、(3)携帯端末は、録画失敗録画データを確定し、要補正時間情報（開始時間と期間もしくは終了時間）を生成する。
【００６８】
本失敗映像データのスキャン方式により、補正した部分の接合部分で映像は乱れない。
【００６９】
[携帯端末と宅内レコーダの交信と補正データの生成方式]
図９は、本発明の携帯端末と宅内レコーダの交信と補正データの生成方式を説明する図である。図９Ａは、宅内レコーダの暗号化済録画データａ−ｉを示す。図９Ｂは、携帯端末の暗号化済録画データ１〜８を、図９Ｃは、その補正データを、図９Ｄは、携帯端末の補正、及び暗号化済録画データをそれぞれ示す。
【００７０】
図９Ａに示すように、宅内レコーダは、安定した受信又は通信にあって映像データａ−ｉは全て暗号化されて録画されている。
【００７１】
図９Ｂに示すように、携帯端末の暗号化済録画データ（映像データ）１−８のうち、録画を失敗したと判断した映像データは映像データ４，５であるとする。
【００７２】
携帯端末は、以下のようにして宅内レコーダ交信及び補正データの生成を行う。
【００７３】
図９Ａ．Ｂ矢印に示すように、(1)携帯端末は、映像単位（例えば、ＧＯＰ（Group Of Pictures））の映像データ４，５の要補正時間情報を宅内レコーダに送信する。
【００７４】
図９Ａ．Ｂ矢印に示すように、(2)宅内レコーダは、携帯端末に対し、受信した要補正時間情報を包含する暗号解除した映像単位である補正基本データｄ，ｅ，ｆと、補正基本データ時間情報を返信する。携帯端末は、宅内レコーダから送信された補正基本データ（映像単位）ｄ，ｅ，ｆと補正基本データ時間情報を受信する。
【００７５】
図９Ｃに示すように、(3)携帯端末は、受信した補正基本データ（映像単位）ｄ，ｅ，ｆをデコードし、同じく受信した補正基本データ時間情報を基に補正に必要な映像データ
を抽出し、補正データ（映像単位４，５）にエンコードする。
【００７６】
図９Ｃ．Ｄ矢印に示すように、(4)携帯端末は、補正データ（映像単位４，５）を用いて補正処理を行う。
【００７７】
図９Ｄに示すように、携帯端末は、補正処理した映像データ４，５だけを暗号化する。携帯端末は、再生時に映像データ６の先頭データを暗号解除する際、データ５’を使用する。データ５’は、暗号解除されると無意味なデータとなり、該携帯端末のデコーダは無視するので、正常再生される。
【００７８】
このように、宅内レコーダと携帯端末の互いの映像フォーマットが異なっても映像補正が可能になる。
【００７９】
以上、本発明の基本的な考え方について説明した。次に、本実施の形態の携帯端末１１０の動作について説明する。
【００８０】
図１０は、携帯端末１１０における宅内レコーダ１２０を利用した録画番組の映像データ補修処理を示すフローチャートである。図中、Ｓはフローの各ステップを示す。
【００８１】
まず、ステップＳ１０１では、携帯端末１１０の予約録画指示部１１１は、管理している予約録画のための番組チャンネルと録画時間に基づいて、端末側録画部１１２に対し番組録画を指示するとともに、番組予約情報送信部１１３に対し管理している番組チャンネルと録画時間を番組予約情報として送る。
【００８２】
ステップＳ１０２では、携帯端末１１０の番組予約情報送信部１１３は、ネットワーク１３０を介して番組予約情報を送信する。
【００８３】
ステップＳ１０３では、宅内レコーダ１２０の番組予約情報受信部１２１は、携帯端末１１０から送信された番組予約情報を受信する。
【００８４】
ステップＳ１０４では、宅内レコーダ１２０のレコーダ側録画部１２２は、番組予約情報に格納された番組チャンネル、及び録画時間に基づいて番組を録画し、映像データを蓄積して本フローを終了する。
【００８５】
ステップＳ１０５では、携帯端末１１０の端末側録画部１１２は、予約録画指示部１１１が指定した番組を録画し、映像データを蓄積する。
【００８６】
ステップＳ１０６では、携帯端末１１０の録画結果判定部１１４は、放送電波の受信不良や録画一時停止などのユーザ操作を検知することによって端末側録画部１１２が録画している映像データが乱れた、もしくは映像に空白ができたと判定し、その時間情報や番組チャンネルを含む録画失敗情報を収集する。
【００８７】
ステップＳ１０７では、携帯端末１１０の映像データ補修部１１７は、録画失敗情報を基に映像データ補修処理を行って本フローを終了する。映像データ補修処理の詳細については、図１１により後述する。
【００８８】
図１１は、上記ステップＳ１０７の映像データ補修処理のより詳細なフローチャートである。
【００８９】
ステップＳ２０１では、携帯端末１１０の補修用データ要求部１１５は、録画結果判定
部１１４から受け取った録画失敗情報１５１（図５）を宅内レコーダ１２０に送信する。
【００９０】
ステップＳ２０２では、宅内レコーダ１２０の映像データ抽出部１２３は、携帯端末１１０からの録画失敗情報１５１（図５）を受信する。
【００９１】
ステップＳ２０３では、宅内レコーダ１２０の映像データ抽出部１２３は、部分映像データ要求情報に従って、レコーダ側録画部１２２が蓄積した該当する映像データから補修用映像データを抽出する。
【００９２】
ステップＳ２０４では、宅内レコーダ１２０の映像データ送信部１２４は、補修用映像データを携帯端末１１０に送信する。
【００９３】
ステップＳ２０５では、携帯端末１１０の補修用データ受信部１１６は、宅内レコーダ１２０から送信された補修用映像データを受信する。
【００９４】
ステップＳ２０６では、携帯端末１１０の映像データ補修部１１７は、映像データの不良部分を補修する処理を行って本フローを終了する。補修用映像データを用いた補修処理の詳細については、図１２及び図１３により後述する。
【００９５】
次に、映像データ補修部１１７による補修用映像データを用いた映像データ補修処理について説明する。
【００９６】
図１２は、映像データ補修部１１７による映像データ補修処理を示すフローチャートである。図１３は、映像データ補修部１１７による映像データ補修処理の説明図である。
【００９７】
図１３Ａは、携帯端末１１０に保存されている著作権保護された映像データ２００を示している。
【００９８】
ステップＳ３０１では、映像データ補修部１１７の補修対象映像データ抽出部１１７ａは、録画結果判定部１１４から受け取った録画失敗情報１５１（図５）に基づいて、図１３Ａの映像データ２００から補修対象映像データ２０１を抽出する。
【００９９】
図１３Ｂは、映像データ補修部１１７が行う映像データの補修処理を示している。より詳細には、映像データ補修部１１７の補修部１１７ｂは、補修対象映像データ２０１を補修用データ受信部１１６が受信した補修用映像データ２０２に置き換えて、映像データを補修する（ステップＳ３０２）。特に、補修部１１７ｂは、補修対象映像データ２０１の後に続く映像データ２０４を復号するために必要な補修対象映像データ２０１のブロック分のデータ２０３は補修時に消去せずに保存する。ここで、この補修対象映像データ２０１のブロック分のデータ２０３は、前記図７Ｃ及び図９Ｄに示すデータ５’に対応する。
【０１００】
図１３Ｃは、再暗号化された補修処理後の映像データ２０５を示している。
【０１０１】
ステップＳ３０３では、映像データ補修部１１７の再暗号化部１１７ｃは、映像データの補修部分である補修用映像データ２０２のみに対して再暗号化処理を行う。
【０１０２】
補修後の映像データ２０５に残留した暗号化されたデータ２０３は、無意味なデータとなり、デコード再生処理でスキップされ、正常再生される。すなわち、映像再生時に、上記データ２０３自体が復号された結果のデータは、映像データではなく、意味の無いデータとなる。一般的な映像デコーダは、定められたフォーマットではないデータに対しては、フォーマット不正を検知して、処理をスキップするので、携帯端末１１０のデコーダは
、その部分のデコード再生処理をスキップする。
【０１０３】
以上詳細に説明したように、本実施の形態によれば、携帯端末１１０は、映像が不良な補修対象映像データを、外部から入手した映像データの一部と置き換えて補修する映像データ補修部１１７を備え、映像データ補修部１１７は、補修対象映像データの後に続く映像データを復号するために必要なブロック分は補修時に消去せずに保存し、補修した映像データの部分だけを再暗号化するよう制御する。これにより、補修した部分だけを暗号化することができ、著作権保護された映像データの補修を省電力で処理することができる。
【０１０４】
また、特許文献１に記載の構成では、ＭＰＥＧ（Moving Picture Experts Group）方式などの圧縮修理された映像データの場合、映像受信を失敗したと判断した時間情報だけで映像部分を選定して補修しても、補修対象外の映像データにおける補償対象映像データとの連結点のフレームが、フレーム間予測を用いて符号化されるフレームをＰフレーム（Predicted Frame）やＢフレーム（Bi−directional Predicted Frame）の場合、デコード時に参照する対象のフレームデータが変わってしまうことにより、連結点の映像が乱れる可能性がある。本実施の形態では、補正した部分の接合部分で映像が乱れることがない。
【０１０５】
なお、本実施の形態では、図１３ＢＣに示すデータ２０３は、映像データに連結して保存するようにしているが、別の領域に保存し、デコーダが必要な都度参照するとしてもよい。
【０１０６】
また、本実施の形態では、外部から映像データを供給する手段を、宅内レコーダ１２０としたが、図１の従来方式の構成例のように録画サーバでも構わない。その場合は、予約録画を要求する処理を除外してもよい。かかる構成を採ると、一部暗号化された不良な映像データを保存する映像データ補修処理とすることにより、余分な再暗号化処理を除去することができ、その結果、著作権保護された映像データの補修を省電力で処理することができる。
【０１０７】
（実施の形態２）
実施の形態２は、失敗映像データのスキャン方式について説明する。
【０１０８】
図１４は、本発明の実施の形態２に係る携帯端末の構成を示す機能ブロック図である。図４と同一構成部分には同一符号を付して重複箇所の説明を省略する。また、本実施の形態に係る携帯端末３１０は、図４に示す携帯端末１１０に代えて適用される。
【０１０９】
図１４に示すように、携帯端末３１０は、予約録画指示部１１１、端末側録画部１１２、番組予約情報送信部１１３、録画結果判定部１１４、補修対象データスキャン部３１１、補修用データ要求部１１５、補修用データ受信部１１６、及び映像データ補修部１１７を備えて構成される。
【０１１０】
補修対象データスキャン部３１１は、携帯端末３１０が保存している映像データに対して補修が必要と判定した時間帯の部分を補修対象映像データとし、補修対象映像データの前後の映像データを設定された単位毎に復号してスキャンし、映像データを置き換えて補修しても映像が乱れないと判定した部分を補修対象映像データの開始点及び終了点と再設定する。映像データを置き換えて補修しても映像が乱れないと判定した部分とは、映像データ補修処理を行った際の映像の連結点が乱れないと判定した部分である。
【０１１１】
以下、上述のように構成された携帯端末の動作について説明する。基本的な考え方及び基本動作は、実施の形態１と同じである。
【０１１２】
図１５及び図１６を用いて、補修対象データスキャン部３１１の動作について詳細に説明する。
【０１１３】
図１５は、補修対象データスキャン部３１１の動作を示すフローチャート、図１６Ａ−Ｃは、補修対象データスキャン部３１１の動作の説明図である。
【０１１４】
図１６Ａは、携帯端末３１０に保存されている著作権保護された映像データａ−ｆを示している。
【０１１５】
映像データａ−ｆは、映像データの一部を削除、又は置き換えても全体の映像品質に問題が発生しない映像ブロックを示している。映像ブロックとは、例えば、デジタル記録する際に用いられる動画圧縮コーデックにおいて、フレームを効率的に管理するためのフレームデータの纏りであるＧＯＰが挙げられる。
【０１１６】
ステップＳ４０１では、録画結果判定部１１４は、端末側録画部１１２が録画している映像データが乱れた、もしくは映像に空白ができたと判定し、その映像データを補修対象映像データ４０１と設定する。また、録画結果判定部１１４は、時間情報や番組チャンネルを含む録画失敗情報を収集する。
【０１１７】
図１６Ｂは、補修対象映像データのスキャン処理を示している。
【０１１８】
ステップＳ４０２では、補修対象データスキャン部３１１は、映像ブロックｃの開始データ４０２と映像ブロックｅの開始データ４０３を事前に設置されたデータ単位で暗号化を復号し、検索する。
【０１１９】
図１６Ｃは、映像ブロックｃの開始データ４０２と映像ブロックｅの開始データ４０３を検索した結果、補修対象映像データを映像ブロックｃと映像ブロックｄを含む補修対象映像データ４０４に再設定した処理を示している。
【０１２０】
ステップＳ４０３では、映像データ補修部１１７は、補修対象映像データ４０４の再設定を行う。これにより、録画失敗情報が修正される。
【０１２１】
このように、本実施の形態によれば、携帯端末３１０が保存している映像データに対して補修が必要と判定した時間帯の部分を補修対象映像データとし、補修対象映像データの前後の映像データを設定された単位毎に復号してスキャンし、映像データを置き換えて補修しても映像が乱れないと判定した部分を補修対象映像データの開始点及び終了点と再設定する補修対象データスキャン部３１１をさらに備えているので、補修した映像の連結点の映像が乱れなくすることができる。
【０１２２】
ここで、本実施の形態では、開始点と終了点をスキャンするとしたが、例えば、補修用映像データがＭＰＥＧ方式での１フレームのデータのみで画像が生成できるＩフレーム（Intra-coded Frame）が必ず先頭に来ることが保障されている映像データである場合は、終了点のスキャンのみ行う態様としてもよい。かかる構成を採ると、補修対象映像データを映像データの一部を削除、置き換えても全体の映像品質に問題が発生しない映像ブロック単位で設定するので、映像データを補修した際に連結点の映像が乱れことを防ぐことができる。
【０１２３】
（実施の形態３）
実施の形態３は、携帯端末と宅内レコーダの交信と補正データの生成方式について説明する。
【０１２４】
図１７は、本発明の実施の形態３に係る携帯端末の構成を示す機能ブロック図である。図４と同一構成部分には同一符号を付して重複箇所の説明を省略する。また、本実施の形態に係る携帯端末５１０は、図４に示す携帯端末１１０に代えて適用される。
【０１２５】
図１７に示すように、携帯端末５１０は、予約録画指示部１１１、端末側録画部１１２、番組予約情報送信部１１３、録画結果判定部１１４、補修用データ要求部１１５、補修用データ受信部１１６、補修用データ再構成部５１１、及び映像データ補修部１１７を備えて構成される。
【０１２６】
補修用データ再構成部５１１は、宅内レコーダ１２０から入手する映像データの一部を部分映像データとし、部分映像データを一旦デコードし、補修対象映像データと同じ時間帯の映像データを抽出し、補修対象映像データで使用されている映像フォーマットでエンコードし、その映像データを補修用映像データとして映像補修処理に使用する。
【０１２７】
以下、上述のように構成された携帯端末の動作について説明する。基本的な考え方及び基本動作は、実施の形態１と同じである。
【０１２８】
図１８は、補修用データ再構成部５１１の動作を示すフローチャートである。
【０１２９】
ステップＳ６０１では、携帯端末５１０の補修用データ要求部１１５は、録画結果判定部１１４から受け取った録画失敗情報を宅内レコーダ１２０に送信する。
【０１３０】
ステップＳ６０２では、宅内レコーダ１２０の映像データ抽出部１２３は、携帯端末５１０から送信された録画失敗情報を受信する部分映像データ要求情報の受信処理を行う。
【０１３１】
ステップＳ６０３では、宅内レコーダ１２０の映像データ抽出部１２３は、部分映像データの抽出処理と部分映像データ時間情報の生成処理を行う。以下、この部分映像データの抽出処理と部分映像データ時間情報の生成処理について説明する。
【０１３２】
映像データ抽出部１２３は、部分映像データ要求情報に従って、宅内レコーダ１２０のレコーダ側録画部１２２が蓄積した該当する映像データから補修用映像データを抽出する。このとき、部分映像データ要求情報に格納された時間情報により指定されたデータを、例えば切り出す映像データの先頭フレームがフレーム間予測を用いて符号化されるフレームであった等の理由によりその部分のみの切り出しが不可能な場合には、格納された時間情報が示すより大きな範囲を含むデータとして抽出し、部分映像データとする。また、映像データ抽出部１２３は、その部分映像データの再生開始、終了の時間を格納した部分映像データ時間情報を生成する。ここで、部分映像データから再生時間がヘッダ情報等から解析できる場合は、部分映像データ時間情報の生成は不要である。
【０１３３】
ステップＳ６０４では、宅内レコーダ１２０の映像データ送信部１２４は、抽出した部分映像データと生成した部分映像データ時間情報を携帯端末５１０に送信する。
【０１３４】
ステップＳ６０５では、携帯端末５１０の補修用データ受信部１１６は、宅内レコーダ１２０から送信された部分映像データ及び部分映像データ時間情報を受信する。
【０１３５】
ステップＳ６０６では、携帯端末５１０の補修用データ再構成部５１１は、部分映像データのデコード処理を行う。
【０１３６】
ステップＳ６０７では、携帯端末５１０の補修用データ再構成部５１１は、部分映像デ
ータ時間情報の再生時間に基づいて、デコードした部分映像データから補修に必要な映像データを抽出する。
【０１３７】
ステップＳ６０８では、携帯端末５１０の補修用データ再構成部５１１は、補修対象の映像データと同じフォーマット、及びパラメータを基に、抽出した映像データに対して補修用映像データへのエンコード処理を行う。
【０１３８】
ステップＳ６０９では、携帯端末５１０の映像データ補修部１１７は、生成された補修用映像データを用いて、映像データの不良部分を補修する処理を行う。
【０１３９】
このように、本実施の形態によれば、携帯端末５１０は、宅内レコーダ１２０から入手する映像データの一部を部分映像データとし、部分映像データを一旦デコードし、補修対象映像データと同じ時間帯の映像データを抽出し、補修対象映像データで使用されている映像フォーマットでエンコードし、その映像データを補修用映像データとして映像補修処理に使用する補修用データ再構成部５１１さらに備えているので、補正用映像データのフォーマットと携帯端末５１０の録画に使用するフォーマットの種類やパラメータ等が異なる場合であっても、携帯端末５１０が保存している映像データを補修することができる。
【０１４０】
例えば、特許文献１に記載の構成では、補正用映像データのフォーマットと携帯端末の録画に使用するフォーマットの種類やパラメータ等が異なる場合、携帯端末が保存している映像データを補修することができない。これに対して、本実施の形態では、宅内レコーダと携帯端末の録画に使用するエンコーダの種類（サイズ、フォーマット）が異なる場合であっても、宅内レコーダの録画データで携帯端末５１０の録画データを補正することができる。
【０１４１】
以上の説明は本発明の好適な実施の形態の例証であり、本発明の範囲はこれに限定されることはない。
【０１４２】
また、上記各実施の形態では携帯端末及び映像データ補修方法という名称を用いたが、これは説明の便宜上であり、装置の名称は携帯端末装置、表示装置、また方法の名称は録画データ補修方法等であってもよい。
【０１４３】
また、上記携帯端末を構成する各部、例えば録画部、デコード処理部の種類、その数及び接続方法などはどのようなものでもよい。
【０１４４】
また、以上説明した映像データ補修方法は、この映像データ補修方法を機能させるためのプログラムでも実現される。このプログラムはコンピュータで読み取り可能な記録媒体に格納されている。
【０１４５】
また、携帯端末の各機能ブロックは、集積回路であるＬＳＩ（Large Scale Integration）として実現されてもよい。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１４６】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１４７】
また、半導体技術の進歩又は派生する別技術によりＬＳＩに置き換わる集積回路化の技
術が登場すれば、当然、その技術を用いて機能ブロックの集積化を行ってもよい。バイオ技術の適応等が可能性としてありえる。
【０１４８】
また、本実施の形態においては、宅内レコーダ１２０を映像データの提供側としたが、例えば従来例の図１で示したような通信事業者１２が、番組予約情報受信部１２１、レコーダ側録画部１２２、映像データ抽出部１２３、及び映像データ送信部１２４（いずれも図４参照）の各機能部を有する構成でもかまわない。
【０１４９】
さらには、本実施の形態における放送電波とは、無線ＬＡＮ（Ｗｉｒｅｌｅｓｓ  Ｌｏｃａｌ  Ａｒｅａ  Ｎｅｔｗｏｒｋ）に代表される無線アクセス網を経由したストリーミング放送も含まれる。
【０１５０】
本発明を詳細にまた特定の実施の態様を参照して説明したが、本発明の精神と範囲を逸脱することなく様々な変更や修正を加えることができることは当業者にとって明らかである。
【０１５１】
２００９年１月２１日出願の特願２００９−０１１０３９の日本出願に含まれる明細書、図面及び要約書の開示内容は、すべて本願に援用される。
【産業上の利用可能性】
【０１５２】
本発明に係る携帯端末及び映像データ補修方法は、補修処理における処理量及び消費電力を削減し、かつ、確実に映像データを補修できるという効果を有し、省電力が求められる携帯電話や携帯型ＡＶプレイヤ等の携帯端末の機能として有用である。
【符号の説明】
【０１５３】
１００  映像データ補修システム
１１０，３１０，５１０  携帯端末
１１１  予約録画指示部
１１２  端末側録画部
１１３  番組予約情報送信部
１１４  録画結果判定部
１１５  補修用データ要求部
１１６  補修用データ受信部
１１７  映像データ補修部
１１７ａ  補修対象映像データ抽出部
１１７ｂ  補修部
１１７ｃ  再暗号化部
１２０  宅内レコーダ
１２１  番組予約情報受信部
１２２  レコーダ側録画部
１２３  映像データ抽出部
１２４  映像データ送信部
１３０  ネットワーク
３１１  補修対象データスキャン部
５１１  補修用データ再構成部
【図１】
0005414699.tif 000002
【図２Ａ】
0005414699.tif 000003
【図２Ｂ】
0005414699.tif 000004
【図２Ｃ】
0005414699.tif 000005
【図３Ａ】
0005414699.tif 000006
【図３Ｂ】
0005414699.tif 000007
【図３Ｃ】
0005414699.tif 000008
【図４】
0005414699.tif 000009
【図５】
0005414699.tif 000010
【図６】
0005414699.tif 000011
【図７】
0005414699.tif 000012
【図８】
0005414699.tif 000013
【図９】
0005414699.tif 000014
【図１０】
0005414699.tif 000015
【図１１】
0005414699.tif 000016
【図１２】
0005414699.tif 000017
【図１３】
0005414699.tif 000018
【図１４】
0005414699.tif 000019
【図１５】
0005414699.tif 000020
【図１６Ａ】
0005414699.tif 000021
【図１６Ｂ】
0005414699.tif 000022
【図１６Ｃ】
0005414699.tif 000023
【図１７】
0005414699.tif 000024
【図１８】
0005414699.tif 000025